(57)【特許請求の範囲】
【請求項１】
符号分割多重方式を用いて基地局から送信されるスペクトラム拡散信号を受信し、受信した上記スペクトラム拡散信号から任意の上記基地局が送出したパイロツト信号を検出して当該パイロツト信号に応じたタイミングを復調器に割り当てるパイロツト信号検出装置において、
所定の時刻情報をカウントするカウンタ手段と、
上記スペクトラム拡散信号を形成する各フレーム毎に、上記パイロツト信号を検出する上記基地局を上記時刻情報の値に基づいて選定する選定手段と、
上記選定手段により選定された上記基地局が送出した上記パイロツト信号のタイミングを検出する検出手段と
を具えることを特徴とするパイロツト信号検出装置。
【請求項２】
上記カウンタ手段は、
上記基地局が送出する基準時刻情報と一致する上記時刻情報をカウントする
ことを特徴とする請求項１に記載のパイロツト信号検出装置。
【請求項３】
上記選定手段は、
上記基地局を所定の優先順位に応じて複数のブロツクに分割して、各上記フレーム毎に上記ブロツクの１つを選択すると共に、当該ブロツクから１つの上記基地局を選定する
ことを特徴とする請求項１に記載のパイロツト信号検出装置。
【請求項４】
符号分割多重方式を用いて基地局から送信されるスペクトラム拡散信号を受信し、受信した上記スペクトラム拡散信号から任意の上記基地局が送出したパイロツト信号を検出して当該パイロツト信号に応じたタイミングを復調器に割り当てるパイロツト信号検出方法において、
所定の時刻情報をカウントし、
上記スペクトラム拡散信号を形成する各フレーム毎に、上記パイロツト信号を検出する上記基地局を上記時刻情報の値に基づいて選定し、
上記選定した上記基地局が送出した上記パイロツト信号のタイミングを検出する
ことを特徴とするパイロツト信号検出方法。
【請求項５】
上記時刻情報は、
上記基地局が送出する基準時刻情報と一致した値でなる
ことを特徴とする請求項４に記載のパイロツト信号検出方法。
【請求項６】
上記基地局は、
所定の優先順位に応じて複数のブロツクに分割されてなり、各上記フレーム毎に上記ブロツクの１つが選択されると共に、当該選択された上記ブロツクから１つの基地局の選定がなされる
ことを特徴とする請求項４に記載のパイロツト信号検出方法。
【請求項７】
符号分割多重方式を用いて基地局から送信されるスペクトラム拡散信号を受信する受信手段と、当該受信手段により受信した上記スペクトラム拡散信号から上記基地局が送出したパイロツト信号を検出するパイロツト信号検出手段と、当該検出したパイロツト信号に基づいて、受信した上記スペクトラム拡散信号を継続的に復調する復調手段とを有する移動通信端末装置において、
所定の時刻情報をカウントするカウンタ手段と、
上記スペクトラム拡散信号を形成する各フレーム毎に、上記パイロツト信号を検出する上記基地局を上記時刻情報の値に基づいて選定する選定手段と、
上記選定手段により選定された上記基地局が送出した上記パイロツト信号のタイミングを検出する上記パイロツト信号検出手段と
を具えることを特徴とする移動通信端末装置。
【請求項８】
上記カウンタ手段は、
上記基地局が送出する基準時刻情報と一致する上記時刻情報をカウントする
ことを特徴とする請求項７に記載の移動通信端末装置。
【請求項９】
上記選定手段は、
上記基地局を所定の優先順位に応じて複数のブロツクに分割して、各上記フレーム毎に上記ブロツクの１つを選択する共に、当該ブロツクから１つの上記基地局を選定する
ことを特徴とする請求項７に記載の移動通信端末装置。
【発明の詳細な説明】
【０００１】
【目次】
以下の順序で本発明を説明する。
発明の属する技術分野
従来の技術
発明が解決しようとする課題
課題を解決するための手段
発明の実施の形態（図１〜図３）
発明の効果
【０００２】
【発明の属する技術分野】
本発明はパイロツト信号検出装置、パイロツト信号検出方法及び移動通信端末装置に関し、例えば符号分割多重方式により通信を行う移動通信システムで用いるパイロツト信号検出装置、パイロツト信号検出方法及び移動通信端末装置に適用して好適なものである。
【０００３】
【従来の技術】
従来、１つの基地局を多数の移動局が共有して通信を行う場合、各移動局の通信回線間の干渉を回避するために、周波数分割方式、時分割多重方式、符号分割多重方式等の方式が用いられている。各方式にはそれぞれ利点及び欠点があり、通信システムの目的に応じて選択される。
【０００４】
例えば符号分割多重（以下、ＣＤＭＡ（Ｃｏｄｅ  Ｄｉｖｉｓｉｏｎ  Ｍｕｌｔｉｐｌｅ  Ａｃｃｅｓｓ  ）と呼ぶ）方式は、各回線毎に割り当てた特定の符号（以下、これをＰＮ（Ｐｓｅｕｄｏ  ｒａｎｄｏｍ  Ｎｏｉｓｅ  ｓｅｑｕｅｎｃｅ）符号と呼ぶ）を用いて同一搬送周波数の変調波を元の周波数帯域より広い帯域に拡散（以下、これをスペクトラム拡散と呼ぶ）すると共にスペクトラム拡散処理を施した各変調波を多重化して送信する。また、受信したスペクトラム拡散信号と復調対象の回線を介して与えられるＰＮ符号との同期をとることにより、所望の回線のみを識別する。
【０００５】
すなわち送信側は、まず各回線毎に異なるＰＮ符号を割り当てる。ここでＰＮ符号は、擬似的な乱数系列符号でなる。送信側はこれらの各回線を介して送信する各変調波に異なる各ＰＮ符号をそれぞれ掛け合わせてスペクトラム拡散させる。因みに、各変調波はスペクトラム拡散処理される以前に所定の変調処理を施されている。こうしてスペクトラム拡散された各変調波は、多重化されて送信される。
次に受信側では送信側から伝送されてきた受信信号に、復調対象となる回線で割り当てられたものと同一のＰＮ符号を同期させながら掛け合わせる。こうして目的の回線を介して伝送された変調波のみを復調する。
【０００６】
このようにＣＤＭＡ方式では、送信側と受信側とで互いに同一のＰＮ符号を設定しておきさえすれば、直接、呼毎に通信することができる。またＣＤＭＡ方式は各回線毎にそれぞれ異なるＰＮ符号を用いて変調波をスペクトラム拡散処理するため、受信側では復調対象の回線を介して伝送されたスペクトラム拡散信号しか復調し得ず、さらにＰＮ符号が擬似的な乱数系列符号でなるために秘匿性にすぐれていると言える。
【０００７】
またＣＤＭＡ方式を用いた移動通信システムにおいて、送信側の基地局は移動局側の同期獲得、維持、クロツク再生のためにＰＮ符号を繰り返し送信する（以下、これをパイロツト信号と呼ぶ）。受信側の移動局は複数の基地局が送信する各パイロツト信号を検出して、検出されたタイミングをそれぞれ復調器に割り当てる。ここで移動局では復調器内でＰＮ符号を生成している。復調器はこのＰＮ符号を割り当てられたタイミングで、目的の基地局から伝送されてくるスペクトラム拡散信号に掛け合わせることにより復調する。
すなわちＣＤＭＡ方式を用いた移動通信システムにおいて、各基地局はそれぞれ異なるタイミングのＰＮ符号をパイロツト信号として送出している。移動局側では目的の基地局から供給されるパイロツト信号のタイミングを検出し、復調器内で生成したＰＮ符号をこのタイミングに同期させることにより、目的の基地局から送信されたスペクトラム拡散信号のみを正しく復調することができる。
なおここで各基地局がそれぞれ異なるタイミングのＰＮ符号を送信していることは述べたが、ＰＮ符号自体は同一の符号パターンでなる。すなわち、各基地局毎に異なるパイロツト信号のタイミング差が、そのままＰＮ符号の差に相当している。
【０００８】
【発明が解決しようとする課題】
ところで、上述した移動局は移動通信を行うため、通信対象である基地局を切り換えながら移動している。このような基地局の切り換えをハンドオフと呼び、効率的なハンドオフのために移動局は継続的に現在通信対象となつている基地局以外の基地局（以下、これを隣接基地局と呼ぶ）のパイロツト信号のタイミングを監視するようになされている。
【０００９】
ＣＤＭＡ方式では、この隣接基地局の監視はパイロツト信号のタイミング、すなわち位相を検出することでなされており、監視対象の基地局を適正なシステム運用のために所定の監視優先順位に基づいてグループ分けしている。
しかし、具体的な監視対象基地局の選定基準がＣＤＭＡ方式では規定されていないという問題があり、低消費電力でなる移動基地局を得るために効率的かつ簡易な監視基地局の選定方式及び装置が要求されている。
【００１０】
本発明は以上の点を考慮してなされたもので、簡易な構成でなると共に監視基地局の選定を効率的に行い得るパイロツト信号検出装置、パイロツト信号検出方法及び移動通信端末装置を提案しようとするものである。
【００１１】
【課題を解決するための手段】
かかる課題を解決するため本発明においては、所定の時刻情報をカウントするカウンタ手段と、スペクトラム拡散信号を形成する各フレーム毎に、パイロツト信号を検出する基地局を時刻情報の値に基づいて選定する選定手段と、選定手段により選定された基地局が送出したパイロツト信号のタイミングを検出する検出手段とを設ける。
【００１２】
所定の時刻情報に基づき各フレーム毎に基地局を選定し、選定した基地局のタイミングを検出するようにしたことにより、１回のタイミング検出時における監視対象基地局の数を必要最小限にとどめることができ、タイミング検出回数に応じた消費電力を低減し得る。
【００１３】
【発明の実施の形態】
以下図面について、本発明の一実施例を詳述する。
【００１４】
図１において、１は全体として移動端末装置を示し、ＣＤＭＡ（Ｃｏｄｅ  Ｄｉｖｉｓｉｏｎ  Ｍｕｌｔｉｐｌｅ  Ａｃｃｅｓｓ  ：符号分割多重）方式を用いて複数の基地局から送信される信号を受信する。すなわち各基地局はそれぞれ異なるタイミングのＰＮ（Ｐｓｅｕｄｏ  ｒａｎｄｏｍ  Ｎｏｉｓｅ  ｓｅｑｕｅｎｃｅ）符号を掛け合わせてスペクトラム拡散させた送信データを送信する（図示せず）。
移動端末装置１は、各基地局から送信される送信データを受信し、受信した信号に含まれているパイロツト信号のタイミングを用いて受信信号を復調するようになされている。これにより、移動端末装置１は復調対象となる基地局から受信した受信信号のみを復調することができる。なお、パイロツト信号とは、送信側の基地局が送信する各々異なるタイミングのＰＮ符号の繰り返しパターン信号でなり、移動局側の同期獲得、維持、クロツク再生のために用いられる。
【００１５】
移動端末装置１はアンテナ２で受信した受信信号Ｓ１をアンテナ共用器３、高周波増幅器４及び直交検波回路５を順次介してベースバンド信号Ｓ２に変換し、得られたベースバンド信号Ｓ２をＡ／Ｄ変換して（図示せず）受信装置６に供給する。受信手段である受信装置６は供給されたベースバンド信号Ｓ２を、復調手段である復調器７、８、９及びパイロツト信号検出手段であるタイミング検出器１０に入力する。タイミング検出器１０は基地局が送信するパイロツト信号をベースバンド信号Ｓ２から検出する。またタイミング検出器１０はこうして検出したパイロツト信号に基づくタイミングを復調器７、８及び９に割り当てる（図示せず）。復調器７、８及び９はそれぞれ割り当てられたタイミングでベースバンド信号Ｓ２を復調し、各々得られた復調信号Ｓ３、Ｓ４、Ｓ５を合成器１１に送出する。
【００１６】
具体的には、各復調器７、８及び９でそれぞれＰＮ符号を生成しており、このＰＮ符号を上述したタイミングでベースバンド信号Ｓ２に掛け合わせることにより復調を行う。各基地局ではＰＮ符号のタイミングをそれぞれ基地局毎の固有のタイミングで送信している。従つて、パイロツト信号に示されるタイミングにＰＮ符号を同期させ、この同期したＰＮ符号を用いてベースバンド信号Ｓ２を復調することにより、復調対象の基地局から送信された信号のみを選択的に復調することができる。なお、このようにパイロツト信号に示されるタイミングに復調器内で生成したＰＮ符号のタイミングを同期させることをロツクと呼ぶ。
【００１７】
ここで復調器７、８及び９は、供給されるベースバンド信号Ｓ２をそれぞれ異なるタイミングのＰＮ符号を用いて復調している。すなわち、基地局から送信される信号は一定の伝播経路長でなる伝送路のみを介して受信されるものばかりでは無く、建物等の障害物に反射する等して各々異なる経路長の伝送路を介して受信機に受信されるものもある。このような複数の伝送路を介して受信される複数の反射波を，マルチパスと呼ぶ。実際上、マルチパスが一般的に存在するため、受信装置６は複数の復調器７、８及び９を設けてパスの数又は受信可能な基地局の数に応じて動作させている。この場合、３つの経路の伝送路を介して（すなわちタイミングのみが異なつた状態で）受信される受信信号Ｓ１をそれぞれ復調器７、８又は９で復調させるようになされている。
合成器１１はこのようなマルチパスから得られた復調信号Ｓ３、Ｓ４、Ｓ５を入力して合成する。この際、復調信号Ｓ３、Ｓ４、Ｓ５がそれぞれ異なるタイミングで復調されているため、合成器１１は復調信号Ｓ３、Ｓ４、Ｓ５のタイミングを同期させた上で合成する。合成器１１は、このように復調信号Ｓ３、Ｓ４、Ｓ５を合成することにより、対雑音及び対妨害比の大きな受信データＳ６を生成することができ、こうして得られた受信データＳ６を出力している。
【００１８】
因みに移動端末装置１は送信系の回路も有しており、送信データＳ７を変調部１２に供給してスペクトラム拡散処理及びオフセツトＱＰＳＫ（Ｑｕａｄｒａｔｕｒｅ  Ｐｈａｓｅ  Ｓｈｉｆｔ  Ｋｅｙｉｎｇ  ：４相位相変調）処理を施す。移動端末装置１はこうして変調部１２で生成した変調信号Ｓ８を高周波増幅器１３で増幅させて、アンテナ共用器３及びアンテナ２を順次介して放射送信する。
【００１９】
またタイミング検出器１０にはカウンタ手段である制御部１４が接続されており、当該制御部１４は時刻情報Ｓ９をカウンタ値として生成し、タイミング検出器１０に供給するようになされている。タイミング検出器１０は時刻情報Ｓ９に基づいて隣接基地局等のタイミング監視を行い、ハンドオフ時に復調器７、８及び９に新たに割り当てるタイミングを決定する。
制御部１２は時刻情報Ｓ９として例えばシステムタイムを用いている。システムタイムは米国で標準化されたＩＳ−９５方式における基準時刻情報であり、１９８０年１月６日を基準とした絶対時間である。ＩＳ−９５方式では基地局が制御チヤネルによつてシステムタイムを送信するようになされている。移動局である移動端末装置１は電源オンの状態となつた場合、所望の基地局のタイミング（ＰＮ符号）を検出して当該タイミングで制御部１４のカウンタ値の更新処理を開始する。その後、当該基地局の制御チヤネルを受信してシステムタイムを検出し、得られた値で制御部１４のカウンタ値を初期化する。移動端末装置１はこうしたカウンタ値の初期化を行い、待ち受け状態に移行した後は制御部１４のカウンタ値によつてシステムタイムを維持更新する。なおＩＳ−９５方式では当該システムタイムを待ち受け状態時の間欠動作タイミングの決定、制御チヤネルでのメツセージ送信タイミングの決定、またハンドオフの時刻指定等に利用している。
【００２０】
基地局側が送信するシステムタイムは３６［ｂｉｔｓ］を１単位とするカウンタ値であり、８０［ｍｓ］毎に値が更新されるようになされている。但しＩＳ−９５では呼制御の規格上で２０［ｍｓ］単位の値を用いる場合があるため、移動局側ではこの値に下位２ビツトを拡張して付加することで３８［ｂｉｔｓ］を１単位とし、この値を２０［ｍｓ］毎に更新して２０［ｍｓ］単位のシステムタイムとしている。
図２において、待ち受け状態の際の間欠受信におけるシステムタイム状態を示す。この図に示す受信フレームは２０［ｍｓ］単位で４回受信がなされており、これ以降は他の移動局への受信フレームのため割り振られたものとなつている。例えば図中の間欠周期を１．２３［Ｓ］  とした場合、この周期内には１６の移動局がそれぞれ割り振られており、このうち８０［ｍｓ］分が任意の移動局に与えられた受信タイミングとなつている。
【００２１】
この図に示すように、受信フレームの１単位は上述した下位２ビツトの更新による２０［ｍｓ］単位のシステムタイムの更新と一致したタイミングである。ＩＳ−９５方式では、こうした間欠動作タイミングでの受信開始時にシステムタイムが４で割り切れる値であることが規定されている。したがつて図中に示すＴｎは４の倍数となつている。このことから間欠受信時での受信タイミングはシステムタイムを４の剰余系と考えると、０、１、２、３の４種類に分類し得る。
移動端末装置１は、このようなシステムタイムを用いて隣接基地局のタイミングの監視を行うようになされている。
【００２２】
具体的なタイミング監視処理は、以下に説明する手順でなされる。すなわち図３に示すように、まずステツプＳＰ１で移動端末装置１は手順を開始する。待ち受け状態時に基地局側からの受信フレームを検出した移動端末装置１は、当該受信フレームに応じた処理を行つた後にステツプＳＰ２で、システムタイムの取得を行う。具体的にはタイミング検出器１０が制御部１４が生成するシステムタイムのカウンタ値の読み出しを行う。
次に移動端末装置１は、ステツプＳＰ３で、得られたシステムタイムの下位２ビツトを演算処理することにより４の剰余系を算出する。移動端末装置１は、こうして算出された剰余に応じて監視対象とする基地局を決定する。
【００２３】
ここで待ち受け時に監視対象とする基地局は３つのグループに分類することができる。すなわち現在受信中の基地局であるＡグループ、現在受信中の基地局から隣接基地局として通知されるＢグループ、そしてそれ以外の基地局であるＣグループである。移動端末装置１はＡ、Ｂ、Ｃの順を基地局監視の優先順位とし、ステツプＳＰ３で得られた剰余が０及び１の場合はステツプＳＰ４に、剰余が２の場合はステツプＳＰ６に、剰余が３の場合はステツプＳＰ８にそれぞれ分岐して移行する。
【００２４】
ステツプＳＰ３で得られた剰余が０及び１の場合、移動端末装置１は、ステツプＳＰ４で、Ａグループを監視対象基地局として選定する。次に移動端末装置１は、ステツプＳＰ５で、Ａグループから基地局を１つ選択してタイミング検出（監視）を行う。
またステツプＳＰ３で得られた剰余が２の場合、移動端末装置１は、ステツプＳＰ６で、Ｂグループを監視対象基地局として選定する。次に移動端末装置１は、ステツプＳＰ７で、Ｂグループから基地局を１つ選択してタイミング検出（監視）を行う。
さらにステツプＳＰ３で得られた剰余が３の場合、移動端末装置１は、ステツプＳＰ８で、Ｃグループを監視対象基地局として選定する。次に移動端末装置１は、ステツプＳＰ９で、Ｃグループから基地局を１つ選択してタイミング検出（監視）を行う。
【００２５】
ステツプＳＰ５、７、９いずれの場合も、選択した基地局のタイミング検出が完了したら、ステツプＳＰ１０で手順を完了する。なお、これ以後に受信フレームを検出した場合、ステツプＳＰ２に戻つて手順を繰り返す。また移動端末装置１は制御部１４によつてタイミング検出を行つた基地局を各グループ毎に記憶するようになされており、次回のタイミング検出時（ステツプＳＰ５、７、９）では当該記憶を参照して、異なる基地局のタイミングを検出する。但しＡグループの場合は現在受信中の基地局であるために登録された基地局が１つしか存在せず、したがつてこの場合のみ、受信対象基地局が変更されるまで毎回同一基地局のタイミング検出を行う。
【００２６】
以上の構成において、移動端末装置１は制御部１４によつてシステムタイムＳ９を生成し、維持更新している。システムタイムＳ９は基地局が送信する基準時刻情報と同期、一致した値でなるカウンタ値であり、基地局が移動端末装置１にフレーム送信する各フレームの送信タイミングと一致したタイミングで更新がなされる。
移動端末装置１は監視対象基地局を優先順位に応じてＡ、Ｂ、Ｃの３つのグループに分類すると共に、システムタイムＳ９の値を４で除算した剰余のそれぞれに各グループを割り当てる。移動端末装置１は基地局からの受信フレームのタイミング毎、すなわち２０［ｍｓ］毎に上述したシステムタイムＳ９の下位２ビツトの値の４の剰余系を算出し、得られた値に応じてＡ、Ｂ、Ｃ各グループのうち１つを選定し、当該選定したグループ内の１つの基地局についてタイミング検出を行い、検出完了後は低消費電力モードに移行する。
【００２７】
先に述べたようにシステムタイムは通信において不可欠な情報であり、通常、移動端末装置１は必ず当該システムタイムを生成している。従来、移動端末装置は受信フレームの受信期間中、全監視対象基地局のタイミングを出来うる限り検出していた。移動端末装置１はシステムタイムに基づいて監視対象基地局を選定し、選定した基地局のタイミング検出を行つた後に低消費電力モードに移行するようにしたことにより、簡易な構成で、かつ容易に監視対象基地局を選定することができ、また消費電力を低減することができる。
【００２８】
以上の構成によれば、基準時刻情報であるシステムタイムＳ９を制御部１４によつて生成すると共に、待ち受け状態時に受信した受信フレーム毎にシステムタイムＳ９に基づいて監視対象基地局を選定し、当該選定した基地局のタイミング検出後は次の受信フレームまで低消費電力モードに移行するようにしたことにより、大幅な追加構成を設けること無く、監視対象基地局を容易に選定でき、かくするにつき、簡易な構成で効率的な監視対象基地局の選定を行い得る移動端末装置１を実現することができる。
【００２９】
なお上述の実施例においては、３つの復調器７、８及び９を有する受信装置６及び移動端末装置１の場合について述べたが、本発明はこれに限らず、例えば復調器を５つ有する受信装置及び移動端末装置に適用してもよい。すなわちＣＤＭＡ方式に基づく複数の復調器を用いて受信信号を復調する復調器であれば、復調器の数にはかかわらない。
【００３０】
また上述の実施例においては、本発明を受信機能及び送信機能を共に有する移動端末装置１に適用した場合について述べたが、本発明はこれに限らず、受信機能のみを有する移動端末装置に適用してもよい。
【００３１】
また上述の実施例においては、待ち受け状態時、すなわち間欠受信時に監視対象基地局の選定を行う移動端末装置１について述べたが、本発明はこれに限らず、例えば通話中等の継続受信時に監視対象基地局の選定を行う場合に適用してもよい。この場合、現在受信中であるＡグループ、隣接基地局として登録されたＢグループ及びそれ以外のＣグループに加えて、移動局側で復調可能と判断し得るグループが追加となるため、これら各基地局グループの再定義及び各グループの選定タイミングを決定するための剰余系の取り方を変更することで、実施例による監視基地局選定方法に対応し得る。
【００３２】
また上述の実施例においては、システムタイムの下位２ビツトを４で除算した剰余が０及び１の場合に現在受信中の基地局であるＡグループを、剰余が２である場合に隣接基地局として登録されたＢグループを、剰余が３である場合にＡ又はＢ以外の基地局であるＣグループを監視対象基地局として決定する移動端末装置１について述べたが、本発明はこれに限らず、例えばシステムタイムの下位２ビツトを４で除算した剰余が０の場合に現在受信中の基地局であるＡグループを、剰余が１又は２である場合に隣接基地局として登録されたＢグループを、剰余が３である場合にＡ又はＢ以外の基地局であるＣグループを監視対象基地局として決定するようにしてもよい。
【００３３】
さらに上述の実施例においては、システムタイムの１単位である３８ビツト全てをカウンタ値として維持更新する制御部１４の場合について述べたが、本発明はこれに限らず、例えば下位の数ビツトだけを実際にカウントすると共に、残りの上位ビツトはソフトウエア上で記憶するようにしてもよい。
【００３４】
【発明の効果】
上述のように本発明によれば、所定の時刻情報をカウントするカウンタ手段と、スペクトラム拡散信号を形成する各フレーム毎に、パイロツト信号を検出する基地局を時刻情報の値に基づいて選定する選定手段と、選定手段により選定された基地局が送出したパイロツト信号のタイミングを検出する検出手段とを設けて、所定の時刻情報に基づき各フレーム毎に基地局を選定し、選定した基地局のタイミングを検出するようにしたことにより、１回のタイミング検出時における監視対象基地局の数を必要最小限にとどめることができ、かくするにつき、簡易な構成で監視基地局の選定を効率的に行い得るパイロツト信号検出装置、パイロツト信号検出方法及び移動通信端末装置を実現し得る。
【図面の簡単な説明】
【図１】実施例による移動端末装置の構成を示すブロツク図である。
【図２】待ち受け状態でのシステムタイムの状態の説明に供する略線図である。
【図３】実施例によるパイロツト信号検出方法の説明に供するフローチヤートである。
【符号の説明】
１……移動端末装置、２……アンテナ、３……アンテナ共用器、４……高周波増幅器、５……直交検波回路、６……受信装置、７、８、９……復調器、１０……タイミング検出器、１１……合成器、１２……変調部、１３……高周波増幅器、１４……制御部。
【図１】
0003622875.tif 000002
【図２】
0003622875.tif 000003
【図３】
0003622875.tif 000004